(57)【要約】【課題】ユーザに直接当たるような送風を停止しながら、イオンの生成・放出を可能とする空気清浄機を実現する。【解決手段】空気清浄機は、送風と共にイオン放出が可能な通風路として第１通風路（フィルタ収納部１ａ及び吹出風路１１）および第２通風路２０を有している。空気清浄機は、第２通風路２０における送風およびイオン放出を停止する一方、第１通風路における送風およびイオン放出は可能とする運転モードを有する。【選択図】図１
2016095110.tif 000002
【特許請求の範囲】
【請求項１】
イオン放出機能を有する空気清浄機であって、
送風と共にイオン放出が可能な通風路を複数有しており、
少なくとも一つの通風路における送風およびイオン放出を停止する一方、他の少なくとも一つの通風路における送風およびイオン放出を可能とする運転モードを有することを特徴とする空気清浄機。
【請求項２】
請求項１に記載の空気清浄機であって、
前記複数の通風路のうちの少なくとも一つは空気清浄機の前方へ送風を行うものであり、他の少なくとも一つの通風路は空気清浄機の前方以外へ送風を行うものであり、
前記運転モードは、前方へ送風を行う通風路からの送風およびイオン放出を停止する一方、前方以外へ送風を行う通風路からの送風およびイオン放出を可能とするものであることを特徴とする空気清浄機。
【請求項３】
請求項１または２に記載の空気清浄機であって、
前記運転モードにおいて送風およびイオン放出が停止される前記通風路に対しては、送風およびイオン放出のオン／オフを切り替える切替スイッチが設けられていることを特徴とする空気清浄機。
【請求項４】
請求項３に記載の空気清浄機であって、
前記切替スイッチによる上記通風路のオン／オフ状態を示す表示ランプが設けられていることを特徴とする空気清浄機。
【請求項５】
請求項１から４の何れか一項に記載の空気清浄機であって、
前記複数の通風路のそれぞれにイオン発生器が備えられており、
前記運転モードでの運転時には、送風およびイオン放出が停止されている通風路のイオン発生器が、送風およびイオン放出が停止されていない通風路に接続されることを特徴とする空気清浄機。
【請求項６】
請求項１から４の何れか一項に記載の空気清浄機であって、
前記運転モードでの運転時には、送風およびイオン放出が停止されていない通風路における風量が上昇させられることを特徴とする空気清浄機。
【請求項７】
請求項１から６の何れか一項に記載の空気清浄機であって、
空気清浄機の前に人がいることを検知する人感センサを備えており、
前記人感センサによって、人の存在が所定時間以上確認された場合に、上記運転モードの切替を自動的に行うことを特徴とする空気清浄機。
【請求項８】
請求項１から６の何れか一項に記載の空気清浄機であって、
空気清浄機の前に人がいることを検知する人感センサを備えており、
前記人感センサによって、人の存在が所定時間以上確認された場合に、前方へ送風を行う通風路からの送風の向きを変更し、人に風が当たらないようにすることを特徴とする空気清浄機。
【請求項９】
請求項１から８の何れか一項に記載の空気清浄機であって、
周囲温度を検知する温度センサを備えており、
前記温度センサの検知結果に応じて、前方へ送風を行う通風路からの送風の風量を制御することを特徴とする空気清浄機。
【請求項１０】
請求項１から９の何れか一項に記載の空気清浄機であって、
ネットワーク接続が可能であり、
ネットワークを介して接続されたコンピュータのドライバまたはＷｅｂページ、あるいはネットワークを介して接続されたデジタル複合機から、当該空気清浄機の運転内容を設定可能であることを特徴とする空気清浄機。
【発明の詳細な説明】
【技術分野】
【０００１】
本発明は、浄化空気及びイオンを室内に供給する空気清浄機に関する。
【背景技術】
【０００２】
空気清浄機は下部の吸込口から上部の吹出口に至る通風路が内部に形成され、該通風路内に浄化フィルタと送風機とが配されている。このような空気清浄機では、送風機の作動に伴い、吸込口から吸い込まれた室内の空気が浄化フィルタを通風する際に、空気中に含まれる有害物質が浄化フィルタによって捕集、吸着、分解される等して除去され、浄化された空気が吹出口から室内へ吹き出される。
【０００３】
また、近年では、イオン発生器を備えた空気清浄機や空調機も存在している。このような機器では、イオン発生器によって生成されたイオンが空気中に放出され、放出されたイオンによって空気浄化効果および消臭効果が得られる。
【０００４】
特許文献１には、イオン発生器を搭載した空気清浄機において、送風を停止した状態でイオン発生器のみを単独駆動できることが開示されている。特許文献２には、イオン発生器を搭載した空調機において、イオン発生器のオン／オフと空調機の運転モードとを独立して選択できることが開示されている。
【０００５】
また、特許文献３には、フィルタによって浄化された浄化空気を上部後方に放出し、イオン発生器によって生成されたイオンを前方に放出する空気清浄機が開示されている。
【先行技術文献】
【特許文献】
【０００６】
【特許文献１】特開２００６−３５２０４号公報
【特許文献２】特開２０１０−２４３１０６号公報
【特許文献３】特開２０１３−７０７９３号公報
【発明の概要】
【発明が解決しようとする課題】
【０００７】
空気清浄機では、浄化空気を放出するために、通風路内に配された送風機を作動させて外部に向けて送風する必要がある。また、イオン発生器を備えた機器でも、生成されたイオンを放出するためには、通風路内に配された送風機を作動させて外部に向けて送風する必要がある。しかしながら、ユーザは、このような送風に直接当たることを避けたい場合もある。
【０００８】
特許文献１では、送風を停止した状態でイオン発生器のみを単独駆動できるが、これは、イオン（オゾン）によって浄化フィルタを殺菌する場合の運転モードであり、生成されたイオン（オゾン）が空気中に放出されることはない。また、特許文献２では、イオン発生器をオフした状態で送風のみを行う運転モードはあるが、送風を停止した状態でイオン放出を行う運転モードは存在しない。
【０００９】
さらに、特許文献３では、フィルタによって浄化された浄化空気がユーザに直接当たることを避けるため、浄化空気は装置の上部後方から外部に放出されるようになっている。しかしながら、イオン発生器によって生成されたイオンは装置の前方に放出されるため、このための送風はユーザに直接当たる場合がある。そして、イオン放出のための送風がユーザに直接当たらないように送風を停止すると、イオンの生成・放出も停止されるようになっている。
【００１０】
以上のように、従来のイオン発生器を備えた空気清浄機等では、ユーザに直接当たるような送風を停止しながら、イオンの生成・放出を可能とするものはない。
【００１１】
本発明は、上記課題に鑑みてなされたものであり、ユーザに直接当たるような送風を停止しながら、イオンの生成・放出を可能とする空気清浄機を実現することを目的とする。
【課題を解決するための手段】
【００１２】
上記の課題を解決するために、本発明は、イオン放出機能を有する空気清浄機であって、送風と共にイオン放出が可能な通風路を複数有しており、少なくとも一つの通風路における送風およびイオン放出を停止する一方、他の少なくとも一つの通風路における送風およびイオン放出を可能とする運転モードを有することを特徴としている。
【００１３】
上記の構成によれば、イオン放出が可能な複数の通風路を有する空気清浄機において、少なくとも一つの通風路における送風およびイオン放出を停止する一方、他の少なくとも一つの通風路における送風およびイオン放出を可能とする運転モードを用いることで、ユーザに直接風が当たるような運転を回避しつつ、イオン放出を継続することができる。
【００１４】
また、上記空気清浄機では、前記複数の通風路のうちの少なくとも一つは空気清浄機の前方へ送風を行うものであり、他の少なくとも一つの通風路は空気清浄機の前方以外へ送風を行うものであり、前記運転モードは、前方へ送風を行う通風路からの送風およびイオン放出を停止する一方、前方以外へ送風を行う通風路からの送風およびイオン放出を可能とするものである構成とすることができる。
【００１５】
また、上記空気清浄機では、前記運転モードにおいて送風およびイオン放出が停止される前記通風路に対しては、送風およびイオン放出のオン／オフを切り替える切替スイッチが設けられている構成とすることができる。
【００１６】
また、上記空気清浄機では、前記切替スイッチによる上記通風路のオン／オフ状態を示す表示ランプが設けられている構成とすることができる。
【００１７】
また、上記空気清浄機では、前記複数の通風路のそれぞれにイオン発生器が備えられており、前記運転モードでの運転時には、送風およびイオン放出が停止されている通風路のイオン発生器が、送風およびイオン放出が停止されていない通風路に接続される構成とすることができる。
【００１８】
上記の構成によれば、前記運転モードでの運転時に、送風およびイオン放出が停止されている通風路のイオン発生器をも駆動させ、このイオン発生器によって生成されるイオンも接続された通風路から放出されるため、イオン放出量を高レベルに維持することができる。
【００１９】
また、上記空気清浄機では、前記運転モードでの運転時には、送風およびイオン放出が停止されていない通風路における風量が上昇させられる構成とすることができる。
【００２０】
上記の構成によれば、一部の送風路が停止されても、送風を行う側の通風路では風量が上昇させられるため、イオンの放散を効率的に行うことができる。
【００２１】
また、上記空気清浄機では、空気清浄機の前に人がいることを検知する人感センサを備えており、前記人感センサによって、人の存在が所定時間以上確認された場合に、上記運転モードの切替を自動的に行う構成とすることができる。
【００２２】
上記の構成によれば、空気清浄機の前に人がいる場合に、自動的にユーザに直接風が当たるような運転を回避しつつ、イオン放出を継続することができる。
【００２３】
また、上記空気清浄機では、空気清浄機の前に人がいることを検知する人感センサを備えており、前記人感センサによって、人の存在が所定時間以上確認された場合に、前方へ送風を行う通風路からの送風の向きを変更し、人に風が当たらないようにする構成とすることができる。
【００２４】
上記の構成によれば、空気清浄機の前に人がいる場合に、自動的にユーザに直接風が当たるような運転を回避しつつ、イオン放出を継続することができる。
【００２５】
また、上記空気清浄機では、周囲温度を検知する温度センサを備えており、前記温度センサの検知結果に応じて、前方へ送風を行う通風路からの送風の風量を制御する構成とすることができる。
【００２６】
上記の構成によれば、ユーザの体感温度を考慮し、ユーザに直接風が当たり寒さを感じるような運転を回避することができる。
【００２７】
また、上記空気清浄機では、ネットワーク接続が可能であり、ネットワークを介して接続されたコンピュータのドライバまたはＷｅｂページ、あるいはネットワークを介して接続されたデジタル複合機から、当該空気清浄機の運転内容を設定可能である構成とすることができる。
【００２８】
上記の構成によれば、例えば空気清浄機をオフィス等に設置する場合に、ユーザが空気清浄機の設置箇所に行って直接運転の操作を行わなくても、パソコンからの遠隔操作によって空気清浄機の運転を設定することができる。
【発明の効果】
【００２９】
本発明の空気清浄機は、イオン放出が可能な複数の通風路を有する空気清浄機において、少なくとも一つの通風路における送風およびイオン放出を停止する一方、他の少なくとも一つの通風路における送風およびイオン放出を可能とする運転モードを用いることで、ユーザに直接風が当たるような運転を回避しつつ、イオン放出を継続することができるといった効果を奏する。
【図面の簡単な説明】
【００３０】
【図１】実施の形態１に係る空気清浄機の側面からみた概略断面図である。
【図２】実施の形態２に係る空気清浄機の側面からみた概略断面図である。
【図３】実施の形態３に係る空気清浄機の側面からみた概略断面図である。
【図４】実施の形態４に係る空気清浄機の、第２通風路の吹出口付近を示す概略断面図である。
【図５】実施の形態５に係る空気清浄機のネットワーク接続例を示す概略図である。
【発明を実施するための形態】
【００３１】
〔実施の形態１〕
以下、本発明の実施の形態について、図面を参照して詳細に説明する。図１は、本実施の形態１に係る空気清浄機の側面からみた概略断面図である。
【００３２】
本実施の形態１に係る空気清浄機は、矩形状の箱体を垂直に立てたような外形のハウジング１を備え、ハウジング１の内部は隔壁２によって前後に仕切られている。隔壁２は上側の略半分が後方に傾斜している。
【００３３】
隔壁２の後側に、浄化用の各種フィルタを収納するフィルタ収納部１ａが形成されている。フィルタ収納部１ａは、ハウジング１の後面側に開口し、直方体状に窪んだ空間であり、フィルタ収納部１ａには、後側より順に、脱臭フィルタ５ａ及び集塵フィルタ５ｂが重ね合わされた状態で収納されている。
【００３４】
脱臭フィルタ５ａは、空気中の臭い成分であるアセトアルデヒドやアンモニアや酢酸等を吸着する機能を有し、長方形をなす枠体にポリエステル製の不織布を取り付け、その上に活性炭を均一に分散配置し、その上からポリエステル製の不織布を被せた構造である。
【００３５】
集塵フィルタ５ｂは、微細な塵埃を捕集する機能を有し、いわゆるＨＥＰＡ（High Efficiency Particulate Air）フィルタで構成してある。該ＨＥＰＡフィルタは、ポリエステル／ビニロン系不織布からなる骨材に電石加工したメルトブロー不織布を合わせて濾材とし、これを折り畳み、その上下面にハイドロキシアパタイト加工した不織布からなる抗菌シートを重ねて熱圧着し、ホットメルト付き不織布からなる枠を溶着した構造である。
【００３６】
フィルタ収納部１ａの開口には、これを覆う着脱可能な後パネル３が備えられている。脱臭フィルタ５ａ及び集塵フィルタ５ｂは、後パネル３によってフィルタ収納部１ａからの脱落が防止される。後パネル３は概ね矩形の板状をなし、マトリックス状に複数の小孔からなる吸込口が形成され、裏面にはメッシュ状の繊維シートが貼り付けてある。
【００３７】
隔壁２の前面側には風路カバー４が取り付けられている。風路カバー４は、隔壁２と風路カバー４とで囲まれた空間が所定形状の吹出風路１１を形成するように構成されている。吹出風路１１の下部でフィルタ収納部１ａの前側には、隔壁２を隔てて送風機１２が配置される。また、隔壁２の下部には送風機１２に通じる複数の通気孔が形成されている。送風機１２はファン及び該ファンを回転駆動するファンモータ（図示せず）を備えている。送風機１２はターボファンであるが、その他、プロペラファンやクロスフローファンを採用してもよい。ファンモータは駆動制御の容易性を重視して直流モータを用いている。
【００３８】
ハウジング１の上面は、後側部分が前側部分より低くなるように傾斜し、この傾斜した後側部分に、吹出風路１１に連通した上向き開口の吹出口１３が設けてある。
【００３９】
送風機１２の駆動により、後パネル３の吸込口から外部の空気（室内の空気）が吸い込まれ、吸い込まれた空気は、脱臭フィルタ５ａ及び集塵フィルタ５ｂを通過する際に臭いや塵埃のない空気に浄化される。浄化された空気は、隔壁２の通気孔から送風機１２のファンの中心部に吸い込まれる。ファンの中心部に吸い込まれた空気は、ファンの外周から吐き出され、吹出風路１１を流れて上方に導かれて吹出口１３から室内に吹き出される。
【００４０】
以上より、フィルタ収納部１ａ及び吹出風路１１によって、後パネル３の吸込口から吸い込まれ浄化された空気を上部の吹出口１３へ通風させる第１通風路が構成される。また、脱臭フィルタ５ａ及び集塵フィルタ５ｂによって、第１通風路を流れる空気を浄化する浄化装置が構成される。
【００４１】
吹出風路１１の壁面（ここでは、送風機１２の上方の前面側壁面）に、正負のイオンを発生させるイオン発生器１４が配設されている。イオン発生器１４には、針状の放電電極（図示せず）が風路内に露出するように設けられ、放電電極に給電部（図示せず）から交流波形またはインパルス波形の電圧を供給することによって放電電極がイオンを発生する。
【００４２】
送風機１２及びイオン発生器１４が駆動されると、脱臭フィルタ５ａ及び集塵フィルタ５ｂによって浄化された空気に、イオン発生器１４により発生したイオンが付加され、イオンを含む空気が吹出口１３より後方側に吹き出される。
【００４３】
後方に傾斜した風路カバー４の上部の前側には、ハウジング１の前面に開口した吸込口２１から横断面視で略「くの字」状に湾曲して上向きに伸び、ハウジング１の前面上部に設けた吹出口２２に至る第２通風路２０が設けられている。
【００４４】
第２通風路２０の吹出口２２に近い箇所には、送風機２３が設けてある。吸込口２１と送風機２３との間には防塵フィルタ２４が縦姿勢に装着され、防塵フィルタ２４は送風機２３と接触しないように上部が下部に対して前側に傾斜している。
【００４５】
第２通風路２０の送風機２３と吹出口２２との間の壁面に、正負のイオンを発生させるイオン発生器２５が配設されている。イオン発生器２５には、針状の放電電極（不図示）が風路内に露出するように設けられ、放電電極に給電部（不図示）から交流波形またはインパルス波形の電圧を供給することによって放電電極がイオンを発生する。
【００４６】
送風機２３及びイオン発生器２５が駆動されると、送風機２３によって吸込口２１から吸い込まれた空気に、イオン発生器２５により発生したイオンが付加され、イオンを含む空気が吹出口２２より前方側に吹き出される。
【００４７】
続いて、本実施の形態１に係る空気清浄機における運転モードについて説明する。この空気清浄機においては、基本的に第１ないし第５の運転モードが存在する。
【００４８】
第１の運転モードは、イオン発生器１４,２５および送風機１２,２３の全てを駆動させる運転モードである。第１の運転モードでは、第１通風路からはフィルタによって浄化された空気とイオンとが放出され、第２通風路２０からはイオンが放出される。
【００４９】
第２の運転モードは、イオン発生器２５および送風機１２,２３を駆動させる運転モードである。第２の運転モードでは、第１通風路からはフィルタによって浄化された空気のみが放出され、第２通風路２０からはイオンが放出される。
【００５０】
第３の運転モードは、イオン発生器１４および送風機１２を駆動させる運転モードである。第３の運転モードでは、第１通風路からはフィルタによって浄化された空気とイオンとが放出され、第２通風路２０からの送風は停止される。
【００５１】
第４の運転モードは、送風機１２のみを駆動させる運転モードである。第４の運転モードでは、第１通風路からはフィルタによって浄化された空気のみが放出され、第２通風路２０からの送風は停止される。
【００５２】
第５の運転モードは、イオン発生器２５および送風機２３を駆動させる運転モードである。第５の運転モードでは、第１通風路からの送風は停止され、第２通風路２０からはイオンが放出される。
【００５３】
このように、本実施の形態１に係る空気清浄機では、第１通風路からの送風と第２通風路２０からの送風とを個別にオン／オフすることができる。さらに、第１通風路からの送風を行う場合に、イオン放出のオン／オフを任意に設定可能としても良い。但し、本発明の空気清浄機が、上記第１ないし第５の運転モードの全てを有する必要は特にない。本発明の空気清浄機における特徴的な運転モードは第３の運転モードである。すなわち、第２通風路２０からの送風を停止することでユーザに直接当たるような送風を停止しながら、第１通風路からのイオン放出は可能とする。
【００５４】
上記運転モードの切替は、例えば、以下の切替例１〜３によって行うことができる。但し、本発明における運転モードの切替方法はこれらの例に限定されるものではない。
（切替例１）
第１通風路用のオン／オフ制御ボタンと第２通風路用のオン／オフ制御ボタンとを別々に設け、第１通風路からの送風と第２通風路２０からの送風とを個別にオン／オフさせる。また、第１通風路におけるイオン放出のオン／オフについては、第１通風路用のオン・オン制御ボタンをトグルスイッチとし、該トグルスイッチを連続的に操作することで（第１通風路オフ状態）、（第１通風路オン／イオン放出オン状態）および（第１通風路オン／イオン放出オフ状態）が順次切り替わるようにしても良い。
（切替例２）
運転モード切替用のトグルスイッチを設け、該トグルスイッチを連続的に操作することで上述した第１ないし第５の運転モードが順次切り替わるようにしても良い。あるいは、空気清浄機の停止モードを加えて、第１ないし第５の運転モードと停止モードとが順次切り替わるようにしても良い。尚、この切替例２において、第１ないし第５の運転モードの全てを切替対象に加える必要はなく、一部の運転モード（例えば、第２または第５の運転モード）を省略しても良い。
（切替例３）
イオン発生スイッチと、前側風量スイッチ（切替スイッチ）とを設け、これらのスイッチ操作によって運転モードを切り替える。イオン発生スイッチおよび前側風量スイッチの操作による運転状態の遷移は、具体的には以下の通りである。
・イオン発生スイッチは、第１または第２通風路の何れかでイオンを放出するイオン放出状態と、第１および第２通風路の何れもイオンを放出しないイオン非放出状態とを切り替える。イオン放出状態でイオン発生スイッチが押下されると、空気清浄機は、上述した第４の運転モードに遷移する。また、イオン非放出状態でイオン発生スイッチが押下されると、空気清浄機は、上述した第１の運転モードに遷移する。
・前側風量スイッチは、イオン放出状態において、第２通風路のオン／オフを切り替える。すなわち、前側風量スイッチが押下されるごとに、上述した第１の運転モードと第３の運転モードとが切り替えられる。尚、イオン非放出状態においては、第２通風路におけるイオン放出はオフ固定されており、この状態で前側風量スイッチが押下されても空気清浄機の運転モードは変化しない。
【００５５】
上記切替例３を採用する場合、イオン発生スイッチによって切り替えられるイオン放出状態とイオン非放出状態とをユーザが容易に認識できるよう、空気清浄機の上面又は前面にイオン発生ランプを設けることが好ましい。さらに、前側風量スイッチによって切り替えられる第２通風路のオン／オフをユーザが容易に認識できるよう、空気清浄機の上面又は前面に前側風量ランプを設けることが好ましい。この場合、イオン発生ランプおよび前側風量ランプが共に点灯していれば第１の運転モードであり、イオン発生ランプが点灯しており前側風量ランプが消灯していれば第３の運転モードであることが分かる。また、イオン発生ランプが消灯していれば第４の運転モードである。
【００５６】
〔実施の形態２〕
上記実施の形態１では、第１通風路（フィルタ収納部１ａ及び吹出風路１１）と第２通風路２０とが完全に分離されており、それぞれの通風路にイオン発生器と送風機とが独立して設けられている。本実施の形態２では、第１通風路および第２通風路の一部を共通化した構成を示す。図２は、本実施の形態２に係る空気清浄機の側面からみた概略断面図である。尚、本実施の形態２において、実施の形態１と同様の構成については、共通の部材番号を付し、詳細な説明は省略する。
【００５７】
図２に示す空気清浄機では、図１に示す第２通風路２０と送風機２３とが省略されており、代わりに吹出風路１１の途中で分岐された吹出風路３１が設けられている。本実施の形態２では、吹出風路１１における上記分岐点の空気流れ方向の上流側を吹出風路１１ａ、下流側を吹出風路１１ｂとする場合、フィルタ収納部１ａ、吹出風路１１ａおよび吹出風路３１によって第２通風路が構成される。すなわち、フィルタ収納部１ａおよび吹出風路１１ａは、第１通風路および第２通風路において共通化されている。また、送風機１２も第１通風路および第２通風路において共有される。
【００５８】
また、吹出風路１１ｂにはシャッター３２が設けられ、吹出風路１１ｂを開放／遮断できるようになっている。同様に、吹出風路３１にはシャッター３３が設けられ、吹出風路３１を開放／遮断できるようになっている。また、図２に示す構成では、吹出風路１１ｂにイオン発生器１４が配設され、吹出風路３１にイオン発生器２５が配設されている。但し、本実施の形態２において必須であるのはイオン発生器１４のみであり、イオン発生器２５については省略可能である。
【００５９】
本実施の形態２に係る空気清浄機では、シャッター３２，３３の開放／遮断によって運転モードの切替が行われる。この空気清浄機においては、基本的に第１ないし第６の運転モードが存在する。
【００６０】
第１の運転モードは、イオン発生器１４および送風機１２を駆動させ、シャッター３２および３２の両方を開放する運転モードである。第１の運転モードでは、第１通風路および第２通風路の両方から浄化された空気とイオンとが放出される。
【００６１】
第２の運転モードは、イオン発生器１４および送風機１２を駆動させ、シャッター３３のみを開放（シャッター３２は遮断）する運転モードである。第２の運転モードでは、第２通風路のみから浄化された空気とイオンとが放出される。
【００６２】
第３の運転モードは、イオン発生器１４および送風機１２を駆動させ、シャッター３２のみを開放（シャッター３３は遮断）する運転モードである。第３の運転モードでは、第１通風路のみから浄化された空気とイオンとが放出される。
【００６３】
尚、上記空気清浄機がイオン発生器２５を備えている場合には、第１および第２の運転モードではイオン発生器２５も駆動させ、イオン放出量を増加させるようにしても良い。また、第４〜第６の運転モードは、上記第１〜第３の運転モードでイオン発生器１４を停止させ、フィルタによる浄化空気のみを放出する運転モードに対応する。
【００６４】
本実施の形態２においても、本発明の空気清浄機が上記第１ないし第６の運転モードの全てを有する必要は特になく、本発明の空気清浄機における特徴的な運転モードは第３の運転モードである。すなわち、第２通風路からの送風を停止することでユーザに直接当たるような送風を停止しながら、第１通風路からのイオン放出は可能とする。
【００６５】
〔実施の形態３〕
上記実施の形態１では、第１通風路（フィルタ収納部１ａ及び吹出風路１１）と第２通風路２０とが完全に分離されており、それぞれの通風路にイオン発生器と送風機とが独立して設けられている。本実施の形態３では、第１通風路および第２通風路の一部を結合可能とする構成を示す。図３は、本実施の形態３に係る空気清浄機の側面からみた概略断面図である。尚、本実施の形態３において、実施の形態１と同様の構成については、共通の部材番号を付し、詳細な説明は省略する。
【００６６】
図３に示す空気清浄機では、第１通風路（フィルタ収納部１ａ及び吹出風路１１）の前面側に、第１通風路とほぼ平行して第２通風路４１が設けられている。第２通風路４１は、実施の形態１における第２通風路２０とは異なり、吸込口４２をハウジング１の下部に有している。また、第２通風路４１の吹出口２２は、実施の形態１における第２通風路２０と同様に、ハウジング１の前面上部に設けられている。これにより、第２通風路４１は第２通風路２０よりも上下方向に長いものとなっている。
【００６７】
第１通風路と第２通風路４１とは、隔壁４２によって分離されており、隔壁４２にはフラッパー４３が設けられている。本実施の形態３では、吹出風路１１におけるフラッパー４３より空気流れ方向の上流側を吹出風路１１ｃ、下流側を吹出風路１１ｄとする。また、第２通風路４１におけるフラッパー４３より空気流れ方向の上流側を風路４１ａ、下流側を風路４１ｂとする。さらに、フラッパー４３は、図３に示すａないしｃの姿勢をとり得る。また、図３に示す構成では、吹出風路１１ｃにイオン発生器４４が配設され、風路４１ａにイオン発生器４５が配設されている。
【００６８】
本実施の形態３に係る空気清浄機では、フラッパー４３の姿勢の切替によって運転モードの切替が行われる。この空気清浄機においては、基本的に第１ないし第４の運転モードが存在する。
【００６９】
第１の運転モードでは、イオン発生器４４，４５および送風機１２,２３の全てを駆動させると共に、フラッパー４３をａの姿勢とする。この場合、第１通風路と第２通風路４１とは、隔壁４２とフラッパー４３とによって完全に分離される。第１の運転モードでは、第１通風路からはフィルタによって浄化された空気とイオンとが放出され、第２通風路４１からはイオンが放出される。
【００７０】
第２の運転モードでは、イオン発生器４４，４５および送風機２３を駆動させると共に、フラッパー４３をｂの姿勢とする。この場合、フラッパー４３をａの位置から移動させることで隔壁４２に開口が生じ、第１通風路における吹出風路１１ｃが第２通風路４１に結合される。また、吹出風路１１ｃと吹出風路１１ｄとの間はフラッパー４３（姿勢ｂ）によって遮断され、第１通風路からの送風は停止される。すなわち、第２の運転モードでは、第２通風路４１のみからイオンが放出される。
【００７１】
第３の運転モードでは、イオン発生器４４，４５および送風機１２を駆動させると共に、フラッパー４３をｃの姿勢とする。この場合、フラッパー４３をａの位置から移動させることで隔壁４２に開口が生じ、第１通風路における吹出風路１１ｃが第２通風路４１に結合される。また、風路４１ａと風路４１ｂとの間はフラッパー４３（姿勢ｃ）によって遮断され、第２通風路４１からの送風は停止される。すなわち、第３の運転モードでは、第１通風路のみからイオンが放出される。
【００７２】
第４の運転モードでは、イオン発生器４４，４５および送風機２３を停止させ、送風機１２のみを駆動させる。また、フラッパー４３はａの姿勢とする。第４の運転モードでは、イオンの放出は行われず、第１通風路からフィルタによって浄化された空気のみが放出される。
【００７３】
本実施の形態３においても、本発明の空気清浄機における特徴的な運転モードは第３の運転モードである。すなわち、第２通風路からの送風を停止することでユーザに直接当たるような送風を停止しながら、第１通風路からのイオン放出は可能とする。
【００７４】
上記実施の形態１〜３において、各送風機は風量を複数段階に変更できるものであってもよい。この場合、本発明での特徴的な運転モードでの運転時には、第１通風路における風量が上昇されるようにしてもよい。
【００７５】
〔実施の形態４〕
上記実施の形態１〜３に係る空気清浄機は、第２通風路からの送風を停止することでユーザに直接当たるような送風を停止しながら、第１通風路からのイオン放出は可能とする運転モードを有している。このような運転モードは、空気清浄機の前側の風が体に当たりユーザが寒いと感じる場合に、空気清浄運転とイオン放出は停止させずに、ユーザ自身に当たる風のみを停止できるようにするものである。
【００７６】
すなわち、上記運転モードは、基本的には空気清浄機の前に人がいる場合にのみ有益な運転モードである。実際、空気清浄機がイオン放出を行う場合に、放出されるイオンを効率よく室内に分散させるには、前方への送風を行う第２通風路を用いることが好ましい。
【００７７】
このため、本実施の形態４に係る空気清浄機では、空気清浄機の前に人がいることを検知する人感センサを設け、該センサによって所定時間以上（例えば、５分以上）人間の存在が確認された場合には、第２通風路からの送風を停止するように運転モードの切替を自動的に行う。
【００７８】
例えば、実施の形態１における空気清浄機においては、第１の運転モードでの動作中に、上記人感センサによって所定時間以上（例えば、５分以上）人間の存在が確認された場合には、第３の運転モードに切り替えられる。あるいは、第２または第５の運転モードでの動作中に、上記人感センサによって所定時間以上（例えば、５分以上）人間の存在が確認された場合にも、第３の運転モードに切り替えられても良い。尚、第２通風路でのイオン放出を行わない第３または第４の運転モードでの動作中は、このような運転モードの切替は行われない。
【００７９】
さらに、上記人感センサを用いた他の制御例として、第２通風路における送風の向きを切り替えることも考えられる。
【００８０】
この場合、実施の形態１における空気清浄機を例に取ると、図４に示すように、第２通風路２０の吹出口２２にルーバー５１が設けられ、ルーバー５１はアクチュエータ（図示せず）によって駆動可能であり、制御部からの信号に基づいて風向を切り替えられるようになっている。
【００８１】
そして、第２通風路でのイオン放出を行う第１，第２または第５の運転モードでの動作中に、上記人感センサによって所定時間以上（例えば、５分以上）人間の存在が確認された場合には、ルーバー５１を移動させて風向を（ユーザに風が当たりにくい）下向きにきりかえる制御を行うことが考えられる。無論、第２通風路でのイオン放出を行わない第３または第４の運転モードでの動作中は、このような風向の切替は行われない。
【００８２】
また、空気清浄機が温度センサを有し、該温度センサの検知結果に応じて第２通風路から送風の風量を切り替えるようにしてもよい。すなわち、ユーザの体感温度を考慮し、周囲温度が高い場合には風量を大きくし、周囲温度が低い場合には風量を小さくする制御を行ってもよい。
【００８３】
〔実施の形態５〕
本実施の形態５に係る空気清浄機は、オフィス等で使用されることを想定するものであって、ネットワークへの接続手段を有している。
【００８４】
具体例としては、図５に示すように、空気清浄機６１は、デジタル複合機（ＭＦＰ：Multi Function Printer）６２に対して接続され、さらにデジタル複合機６２はパソコン（ＰＣ）６３に接続されている。
【００８５】
上記構成において、デジタル複合機６２はネットワーク接続されているパソコン６３へ情報を提示するための、もしくはパソコン６３から操作指示を受領するためのＷｅｂページ機能を有している。すなわち、ユーザはパソコン６３で表示されるＷｅｂページによってデジタル複合機６２のみならず空気清浄機６１の動作状況を確認することが可能となる。さらには、ユーザはパソコン６３に表示されるＷｅｂページから空気清浄機６１の運転を操作することが可能となる。あるいは、パソコン６３に空気清浄機６１のドライバを入れ、該ドライバによってパソコン６３から空気清浄機６１の運転を操作しても良い。
【００８６】
あるいは、デジタル複合機６２の操作パネルから空気清浄機６１の運転を操作することも可能である。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８８】
１    ハウジング
２    隔壁
１ａ  フィルタ収納部（第１通風路）
３    後パネル
４    風路カバー
１１    吹出風路（第１通風路）
１２    送風機
１３    吹出口
１４    イオン発生器
２０    第２通風路
２１    吸込口
２２    吹出口
２３    送風機
２５    イオン発生器
３１    吹出風路（第２通風路）
３２，３３  シャッター
４１    第２通風路
４２    吸込口
４２    隔壁
４３    フラッパー
４４，４５  イオン発生器
５１    ルーバー
６１    空気清浄機
６２    デジタル複合機
６３    パソコン
【図１】
2016095110.tif 000003
【図２】
2016095110.tif 000004
【図３】
2016095110.tif 000005
【図４】
2016095110.tif 000006
【図５】
2016095110.tif 000007